Podtech/llm-jp-corpus-v4-ja_patent huggingface dataset:
【手続補正書】
【提出日】平成20年9月9日(2008.9.9)
【手続補正１】
【補正対象書類名】特許請求の範囲
【補正対象項目名】全文
【補正方法】変更
【補正の内容】
【特許請求の範囲】
【請求項１】
セメント系材料における撥水性を向上させるに有効な少なくとも１種の疎水性材料を有する溶質部分およびセメント系材料における乾燥収縮を抑制するに有効な少なくとも１種のグリコールエーテルを有する非水性溶媒部分を含んで成っていて前記溶質および溶媒が組成物中に９５：５から５：９５の比率で存在し、前記溶質および溶媒部分が非水性溶液の形態で一緒に均一に混ざり合っている組成物。
【請求項２】
前記疎水性材料が水和性セメント系組成物の中に混合された時に空気を連行しない請求項１記載の組成物。
【請求項３】
前記疎水性材料が鹸化されていない請求項１記載の組成物。
【請求項４】
水の含有量が該組成物の総体積を基準にして０−３０％である請求項１記載の組成物。
【請求項５】
水が入っていない請求項１記載の組成物。
【請求項６】
前記溶質と溶媒が該組成物中に７０：３０から３０：７０の比率で存在する請求項１記載の組成物。
【請求項７】
前記少なくとも１種の疎水性材料である溶質が脂肪族カルボン酸もしくはその塩を含んで成る請求項１記載の組成物。
【請求項８】
前記少なくとも１種の疎水性材料である溶質が脂肪族カルボン酸の脂肪族エステルまたはその塩を含んで成る請求項７記載の組成物。
【請求項９】
前記少なくとも１種の疎水性材料が一般式Ｒ１−Ｒ２［式中、Ｒ１はＣ１２−Ｃ１８脂肪族カルボン酸エステルであり、そしてＲ２は直鎖もしくは分枝Ｃ１からＣ１０アルキルである］で表される脂肪族カルボン酸有機エステルである請求項１記載の組成物。
【請求項１０】
前記少なくとも１種の疎水性材料である溶質がステアレート、オレエート、天然に存在する油、ラウレート、パルミテート、ミリスチン酸エステル、リノール酸エステル、ヤシ油、ヒマシ油またはそれらの塩または混合物を含んで成る請求項９記載の組成物。
【請求項１１】
前記少なくとも１種の疎水性材料である溶質がオレイン酸アルキルエステル、ステアリン酸アルキルエステルまたはそれらの混合物を含んで成る請求項９記載の組成物。
【請求項１２】
前記少なくとも１種の疎水性材料である溶質がオレイン酸ブチル、ステアリン酸ブチルまたはそれらの混合物を含んで成る請求項９記載の組成物。
【請求項１３】
前記溶質がオレイン酸ブチルおよびステアリン酸ブチルを含んで成る請求項１２記載の組成物。
【請求項１４】
前記オレイン酸ブチルおよびステアリン酸ブチルが該組成物中の乾燥固体総重量を基準にして３０パーセント以上の量から５０パーセント以下の量で該組成物中に存在する請求項１３記載の組成物。
【請求項１５】
前記少なくとも１種の疎水性材料が脂肪族カルボン酸またはその塩もしくはエステル、脂肪酸またはその塩もしくはエステル、天然もしくは合成ワックス、天然もしくは合成油、シリコーン化合物、シラン化合物、シロキサン化合物、ナフタレン化合物、メラミン化合物、ジカルボン酸もしくはそれらの塩またはそれらの混合物を含んで成る請求項１記載の組成物。
【請求項１６】
前記グリコールエーテル溶媒が（ｉ）オキシアルキレングリコール、（ｉｉ）アルコール、グリコールもしくはグリセロールのオキシアルキレンエーテル付加体または（ｉｉｉ）それらの混合物を含んで成る請求項１記載の組成物。
【請求項１７】
前記グリコールエーテル溶媒が（ｉ）ジ（プロピレン）グリコール−ｔ−ブチルエーテル、ジ（プロピレン）グリコール−ｎ−ブチルエーテルまたはそれらの混合物および（ｉｉ）場合によりジ（オキシプロピレン）グリコール、ジ（オキシエチレン）グリコールまたはそれらの混合物を含んで成る請求項１６記載の組成物。
【請求項１８】
前記少なくとも１種の疎水性材料である溶質がステアレート、オレエート、天然に存在する油、ラウレート、パルミテート、ミリスチン酸エステル、リノール酸エステルまたはそれらの塩または混合物を含んで成りそして前記グリコールエーテル溶媒が（ｉ）オキシアルキレングリコール、（ｉｉ）アルコール、グリコールもしくはグリセロールのオキシアルキレンエーテル付加体または（ｉｉｉ）それらの混合物を含んで成る請求項１記載の組成物。
【請求項１９】
前記少なくとも１種の疎水性材料がオレイン酸ブチルおよびステアリン酸ブチルを含んで成りそして前記少なくとも１種のグリコールエーテル溶媒が（ｉ）ジ（オキシプロピレン）グリコール−ｔ−ブチルエーテル、ジ（オキシプロピレン）グリコール−ｎ−ブチルエーテルまたはそれらの混合物および場合により（ｉｉ）場合によりジ（オキシプロピレン）グリコール、ジ（オキシエチレン）グリコールまたはそれらの混合物を含んで成る請求項１記載の組成物。
【請求項２０】
前記少なくとも１種の疎水性材料が式Ｒ２ＯＯＣ−Ｃ（Ｒ１）（Ｈ）−（ＣＨ２）ｎ−ＣＯＯＲ３［式中、Ｒ１はＣ１２からＣ１８アルキルもしくはアルキレン基であり、Ｒ２およびＲ３は水素またはカチオンであり、そして「ｎ」は１から６の整数である］で表されるジカルボン酸もしくは塩である請求項１５記載の組成物。
【請求項２１】
前記少なくとも１種の溶媒が水和性セメント系組成物中の空気を追い出すに有効である請求項１記載の組成物。
【請求項２２】
更に少なくとも１種の櫛形重合体である超可塑剤も含有して成る請求項１記載の組成物。
【請求項２３】
前記少なくとも１種の櫛形重合体である超可塑剤がポリ（オキシアルキレン）基を含有して成りそして前記櫛形重合体である超可塑剤の水含有量が該組成物の総体積の０−３０％である請求項２２記載の組成物。
【請求項２４】
更に水の含有量が該組成物の総体積の５％以下である請求項１記載の組成物。
【請求項２５】
界面活性剤が入っていない請求項１記載の組成物。
【請求項２６】
空気を連行する金属脂肪酸が入っていない請求項１記載の組成物。
【請求項２７】
セメント系材料に変性を受けさせる方法であって、水和性セメント系結合剤を請求項１記載の組成物と一緒にすることを含んで成る方法。
【請求項２８】
請求項１記載の組成物を含有するセメント系材料。
【請求項２９】
前記少なくとも１種の疎水性材料がテトラプロペニルブタンデジオディックアシッドである請求項１記載の組成物。
【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
ケラチン物質、特に皮膚、口唇、爪、又は毛にメイクアップを施与する、以下の工程を含む方法、
少なくとも１の化粧料組成物をメイクアップされるべき表面の上に堆積する工程、
該化粧料組成物は、
ゼロではない磁化率を示し、磁場の影響下で可動性である物質、及び
少なくとも１の干渉性顔料
を含む；及び
組成物の少なくとも一部を磁場に暴露して、磁性体の少なくとも一部の配向を変更する及び／又は磁性体の少なくとも一部を移動させる工程。
【請求項２】
磁場がかけられて、組成物上に少なくとも１の模様を形成する、請求項１に記載の方法。
【請求項３】
磁場が、回転されている永久磁石によりかけられる、請求項１〜２のいずれか１項に記載の方法。
【請求項４】
磁性体が少なくとも部分的に干渉性顔料からなることを特徴とする、請求項１〜３のいずれか１項に記載の方法。
【請求項５】
磁性体が干渉性顔料の粒子と異なる、請求項１〜３のいずれか１項に記載の方法。
【請求項６】
干渉性顔料がゴニオクロマチック顔料である、請求項１〜５のいずれか１項に記載の方法。
【請求項７】
干渉性顔料が反射性粒子を含む、請求項１〜５のいずれか１項に記載の方法。
【請求項８】
ケラチン物質、例えば皮膚、口唇、爪、又は毛にメイクアップを施与するためのキットにおいて、
磁場が作られることを可能にする磁性デバイス；及び
以下を含む化粧料組成物：
ゼロではない磁化率を示し、磁場の影響下で可動性である磁性体、及び
少なくとも１の干渉性顔料、
を含むキットであって、上記磁性デバイスは、前記組成物の堆積物中の被覆されたケラチン物質が前記磁場に挿入されたときに、堆積物内において磁性体の配向及び／又は位置を変更することのできる磁場を作りだすことができるキット。
【請求項９】
組成物がマニュキア液である、請求項８に記載のキット。
【請求項１０】
化粧料組成物において、
ゼロではない磁化率を示し、磁場の影響下で可動性である磁性体、及び
少なくとも１の干渉性顔料
を含み、磁性体が金属の鉄を含む化粧料組成物。
【手続補正２】
【補正対象書類名】明細書
【補正対象項目名】０００１
【補正方法】変更
【補正の内容】
【０００１】
本発明は、自然な表面、例えば皮膚、爪、毛、若しくは口唇、又は人工の表面、例えば付け爪にメイクアップを施与するための方法に関し、またそのような方法を実施するためのキットにも関する。
【手続補正３】
【補正対象書類名】明細書
【補正対象項目名】０００３
【補正方法】変更
【補正の内容】
【０００３】
メイクアップを施与するための方法
本発明の１の側面に従うと、本発明は表面、特に皮膚、口唇、爪、又は毛にメイクアップを施与するための方法であって、以下の工程を含む方法である：
少なくとも１の化粧料組成物をメイクアップされるべき表面の上に堆積する工程、
該化粧料組成物は、
ゼロではない磁化率を示し、磁場の影響下で可動性である少なくとも１の物質（body）、及び
少なくとも１の干渉性顔料を含む；及び
該組成物の少なくとも一部を磁場に暴露して、磁性体の少なくとも一部の配向を変更する及び／又は磁性体の少なくとも一部を移動させる工程。
【手続補正４】
【補正対象書類名】明細書
【補正対象項目名】００２３
【補正方法】変更
【補正の内容】
【００２３】
磁性体
表現「磁性体」は、制限的な態様で理解されてはならず、ゼロではない磁化率を示す、任意の形状の粒子、繊維、又は粒子及び／又は繊維の集団を含む。
【手続補正５】
【補正対象書類名】明細書
【補正対象項目名】００８７
【補正方法】変更
【補正の内容】
【００８７】
干渉性顔料の少なくとも１の層は、磁性物質を含み得、そうすることにより顔料にゼロではない磁化率を与える。そして、磁性体の少なくとも一部、実際には全部が干渉性顔料の粒子により構成されていてもよい。
【手続補正６】
【補正対象書類名】明細書
【補正対象項目名】００８８
【補正方法】変更
【補正の内容】
【００８８】
ゼロではない磁化率を示す干渉性顔料の例として、酸化鉄Ｆｅ３Ｏ４を含む真珠層が挙げられ得る。
【手続補正７】
【補正対象書類名】明細書
【補正対象項目名】０１２０
【補正方法】変更
【補正の内容】
【０１２０】
他の可能な構造は、ゼロではない磁化率を示すＦｅ／Ａｌ／Ｆｅ又はＡｌ／Ｆｅ／Ａｌである。
【手続補正８】
【補正対象書類名】明細書
【補正対象項目名】０２９０
【補正方法】変更
【補正の内容】
【０２９０】
本方法を実施するためのキット
別の実施態様に従うと、本発明は上で定義された方法を実施するためのキットをもまた提供する。該キットは
磁場が作られることを可能にする磁性デバイス；及び
以下を含む化粧料組成物：
ゼロではない磁化率を示し、磁場の影響下で可動性である磁性体、及び
少なくとも１の回折性顔料
を含み、磁性デバイスは、組成物の堆積物中の被覆されたケラチン物質が磁場に挿入されたときに、堆積物内において磁性体の配向及び／又は位置を変更することのできる磁場を作りだすことができる。
【手続補正９】
【補正対象書類名】明細書
【補正対象項目名】０２３０
【補正方法】変更
【補正の内容】
【０２３０】
他の成分
典型的には、磁性体を含む組成物は、生理学的に許容される媒体を含む。用語「生理学的に許容される媒体」は、ヒトの皮膚、爪、毛、又は口唇に施与されることのできる非毒性の媒体を意味する。生理学的に許容される媒体は、組成物が施与される表面の性質及び組成物が包装される形態に一般的に適合されている。
【手続補正１０】
【補正対象書類名】明細書
【補正対象項目名】０２９１
【補正方法】変更
【補正の内容】
【０２９１】
特に、該組成物が表面、例えば皮膚、口唇、爪、又は毛に施与されたのち、その外観を変えるために、該組成物内の磁性体の配向及び／又は位置を変更することができるために十分に強い磁場を作りだすように磁性デバイスがアレンジされてもよい。
【手続補正１１】
【補正対象書類名】明細書
【補正対象項目名】０２９９
【補正方法】変更
【補正の内容】
【０２９９】
図１は、表面、例えば皮膚、口唇、爪、毛、又は付け爪にさえに堆積された後、組成物の外観に影響を及ぼす配向及び／又は位置を有する磁性粒子Ｐを含む化粧料組成物Ｃ１を含むキット１を示す。
【手続補正１２】
【補正対象書類名】明細書
【補正対象項目名】０３２３
【補正方法】変更
【補正の内容】
【０３２３】
該組成物が誘起磁場に付されたとき、組成物は装飾的な外観を示し、該組成物は乾燥後凝固される。干渉性顔料の添加は、全体に追加の色の効果を与えて、磁化率を有する粒子により付与された効果を増強することを可能にする。考慮下の実施例において、ゴニオクロマチックな効果は緑色とピンク色の間で使用される。
【手続補正書】
【提出日】平成20年9月9日(2008.9.9)
【手続補正１】
【補正対象書類名】明細書
【補正対象項目名】００１３
【補正方法】変更
【補正の内容】
【００１３】
また、本発明は、tssksおよびtsksの合成、産生、蓄積および機能を低下させる方法に関するものである。
【手続補正２】
【補正対象書類名】明細書
【補正対象項目名】００１９
【補正方法】変更
【補正の内容】
【００１９】
（図面の簡単な説明）
図1はTSSK1、TSSK2、TSSK3およびTSSK4アミノ酸配列の配列アラインメント比較である。4つの整列させた配列の内の少なくとも２つにおいて見出されたアミノ酸に、同一性を示すために暗色を付けた。最も高い相同性は、TSSK1およびTSSK2(キナーゼドメインにおいて83%、完全なORFにわたって72%)との間で見出される。TSSK3は、TSSK1およびTSSK2各々に対して47.5%および49%同一である。TSSK4は、TSSK3に対して49%同一である。セリン/スレオニンキナーゼに対するコンセンサス「DLKXXN」に一致する高度に保存されたシグニチャー配列に下線を引いた。12のキナーゼサブドメインをローマ数字にて上記アラインメントに記した。
【手続補正３】
【補正対象書類名】明細書
【補正対象項目名】０１１１
【補正方法】変更
【補正の内容】
【０１１１】
特記しなければ、「アミノ酸配列をコードするヌクレオチド配列」は、互いに縮重型であって、同一アミノ酸配列をコードするあらゆるヌクレオチド配列を包含する。タンパク質およびRNAをコードするヌクレオチド配列は、イントロンを包含し得る。
【手続補正４】
【補正対象書類名】明細書
【補正対象項目名】０１３７
【補正方法】変更
【補正の内容】
【０１３７】
本発明は、ヒトおよびマウスのオスの胚細胞にのみ存在するわけではないが、精巣に豊富であり、優先的に発現されるキナーゼのファミリー(tsskキナーゼファミリー)に関する。さらに具体的には、本発明は、受精を調節する際のtssksおよびこれらタンパク質の使用に関する。
【手続補正書】
【提出日】平成20年10月3日(2008.10.3)
【手続補正１】
【補正対象書類名】特許請求の範囲
【補正対象項目名】全文
【補正方法】変更
【補正の内容】
【特許請求の範囲】
【請求項１】
次の式Ｉのリガンドの金属錯体。
【化１】
2008515794.tif 000001
式中、
Ｒ１はＥ基又は−ＣＨ２（ＡＲ５）であり（ＡはＳ又はＯであり、Ｒ５はＨ又はＣ１〜６アルキルである。）、
Ｒ２及びＲ３は各々独立にＥ基であり、
Ｅは５員又は６員窒素含有環構造であり、
Ｒ４は−（Ｚ）ｑ−Ｙであり
（式中、各Ｚは独立に、−ＣＱ２−、−ＣＱ＝ＣＱ−、−Ｃ≡Ｃ−、−ＣＱ２ＣＯ２−、−ＣＯ２ＣＱ２−、−ＮＱ−、−ＮＱＣＯ−、−ＣＯＮＱ−、−ＮＱ（Ｃ＝Ｏ）ＮＱ−、−ＮＱ（Ｃ＝Ｓ）ＮＱ−、−ＳＯ２ＮＱ−、−ＮＱＳＯ２−、−ＣＱ２ＯＣＱ２−、−ＣＱ２ＳＣＱ２−、−ＣＱ２（ＮＱ）ＣＱ２−、Ｃ４〜８シクロヘテロアルキレン基、Ｃ４〜８シクロアルキレン基、Ｃ５〜１２アリーレン基又はＣ３〜１２ヘテロアリーレン基、アミノ酸若しくは単分散ポリエチレングリコール（ＰＥＧ）構成ブロックであり、但し、各Ｑは独立に、Ｈ、Ｃ１〜４アルキル、Ｃ２〜４アルケニル、Ｃ２〜４アルキニル、Ｃ１〜４アルコキシアルキル又はＣ１〜４ヒドロキシアルキルから選択され、
ｑは０〜１０の値の整数であり、
ＹはＨ、アミノ、Ｃ１〜１０アルキル、Ｃ３〜２０アルキルアリール、Ｃ６〜１４アリール、Ｃ３〜１２複素環、Ｃ２〜１０アルコキシアルキル、Ｃ１〜１０ヒドロキシアルキル、Ｃ１〜１０アミノアルキル、Ｃ１〜１０ヒドロキシアルキル、Ｃ１〜１０アルコキシ、Ｃ１〜１０アシルオキシ、Ｃ６〜１０アリールオキシ又はＣ６〜１０アロイルオキシであるか、或いはＹは生体ターゲティング部分である。）、
上記金属がテクネチウム又はレニウムの放射性同位体であり、
上記リガンドの５つの可能な原子のうちの３つ以下が錯化に関与する。
【請求項２】
次の式ＩＩの金属錯体。
［ＬＭＸ３］ｎ      （ＩＩ）
式中、
Ｌは請求項１記載の式Ｉのリガンドであり、
Ｍはテクネチウム又はレニウムの放射性同位体であり、
ＸはＣＯ、ハロゲン、ホスフィン又はイソニトリルから選択され、
ｎは金属錯体の電荷であって、−１、０、＋１又は＋２である。
【請求項３】
次の式ＩＩａのものである、請求項２記載の金属錯体。
［ＬＭ（ＣＯ）３］ｎ      （ＩＩａ）
式中、Ｌは請求項１記載の式Ｉのリガンドであり、
Ｒ１はＥ基である又は−ＣＨ２（ＡＲ５）であり（Ｒ５はＣ１〜６アルキルである。）、
Ｒ４はアミノ又は−（Ｚ）ｑ−Ｙであり（Ｚ、ｑ及びＹは請求項１で定義した通りである。）、
ｎは＋１又は＋２である。
【請求項４】
式ＩＩｂのものである、請求項３記載の金属錯体
ＬＭ（ＣＯ）３      （ＩＩｂ）
式中、Ｌは式Ｉのリガンドであり、
Ｒ１は−ＣＨ２ＳＨ又は−ＣＨ２ＯＨであり、
Ｒ２、Ｒ３及びＲ４は請求項１で定義した通りである。
【請求項５】
Ｒ１が−ＣＨ２ＳＣＨ３であるか、又は２−ピリジル若しくは２−キノリン環を含み、Ｒ２及びＲ３が各々２−ピリジル環を含む場合、Ｒ４はＨ、−ＣＨ２ＯＨ、Ｃ１〜４アルキル、−ＮＨ２、Ｃ１〜４カルボキシアルキル、−Ｃ６Ｈ４ＳＯ３Ｈ又は−ＮＨ（ＣＯ）ＲＸ（ＲＸはＣ１〜１２アルキルである。）ではないことを条件とする、請求項１記載の式Ｉのリガンド。
【請求項６】
請求項１乃至請求項４のいずれか１項記載の金属錯体を含む放射性医薬品。
【請求項７】
請求項１乃至請求項４のいずれか１項記載の式Ｉのリガンドを含む請求項６記載の放射性医薬品の調製用キット。
【請求項８】
ＳＰＥＣＴイメージングのための請求項６記載の放射性医薬品の使用。
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
１８Ｆ標識モノ又はポリヒドロキシ化合物の合成方法であって、
（ｉ）ｐＫａ２以上の弱酸を含む脱保護剤を使用して、１８Ｆ標識モノ又はポリヒドロキシ化合物に対応するアルカノエート保護１８Ｆ標識化合物を脱保護する段階と、
（ｉｉ）中和剤の添加により段階（ｉ）の生成物を中和及び緩衝化する段階であって、緩衝化がｐＨ４．５〜８．０である段階と
を含む方法。
【請求項２】
前記１８Ｆ標識化合物が１８Ｆ標識ＰＥＴトレーサー化合物であり、前記１８Ｆ標識モノ又はポリヒドロキシ化合物に対応するアルカノエート保護１８Ｆ標識化合物がアルカノエート保護１８Ｆ標識モノ又はポリヒドロキシＰＥＴトレーサー化合物である、請求項１記載の方法。
【請求項３】
前記ＰＥＴトレーサーが、［１８Ｆ］−フルオロデオキシグルコース（［１８Ｆ］−ＦＤＧ）である、請求項２記載の方法。
【請求項４】
前記アルカノエート保護１８Ｆ標識ＰＥＴトレーサーが以下の構造を有しており、Ｐ１乃至Ｐ４が各々独立に保護基である、請求項３記載の方法。
【化１】
2008515793.tif 000001
【請求項５】
保護マンノース誘導体を１８Ｆフッ素化剤と反応させることにより、アルカノエート保護［１８Ｆ］−ＦＤＧを調製する、請求項４記載の方法。
【請求項６】
前記保護［１８Ｆ］−ＦＤＧがテトラアセチル［１８Ｆ］−ＦＤＧである、請求項４又は請求項５記載の方法。
【請求項７】
前記保護マンノース誘導体がスルホン酸テトラアセチルマンノーストリフルオロメタンである、請求項５記載の方法。
【請求項８】
前記中和剤が水酸化ナトリウムである、請求項１乃至請求項７のいずれか１項記載の方法。
【請求項９】
（ｉｉｉ）有機溶媒を除去する段階及び／又は
（ｉｖ）１８Ｆ標識化合物を水溶液として処方する段階及び／又は
（ｖ）段階（ｉｖ）の水溶液を滅菌する段階
をさらに含む、請求項１乃請求項８のいずれか１項記載の方法。
【請求項１０】
自動化された、請求項１乃至請求項９のいずれか１項記載の方法。
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
向い合った第１と第２の開放端を有する可撓性で通気性の合成テキスタイルを含んでなる中空管状体と、
中空管状体の第１の開放端と一体化した剛性の第１の開放端リムおよび中空管状体の第２の開放端と一体化した剛性の第２の開放端リムであって、前記中空管状体により互いに接続された第１と第２の開放端リムと、
前記第１と第２の開放端リムに接続され、管状体を伸張するために前記第１と第２の開放端リムを分離するよう付勢がかかっているヘリカルスプリングと
を含んでなるコンポスト容器。
【手続補正２】
【補正対象書類名】明細書
【補正対象項目名】００１６
【補正方法】変更
【補正の内容】
【００１６】
本発明の特定の実施形態について上記の説明および図面に記載してきたが、本発明の趣旨または本質的な属性から逸脱することなく、本発明に変更、代替および再編成を行えることは当業者であれば理解されるであろう。上述の明細書よりも本発明の範囲を示す添付の特許請求の範囲を参照すべきである。
本発明の好適な実施態様は以下のとおりである。
１．  向い合った第１と第２の開放端を有する可撓性で通気性の合成テキスタイルを含んでなる中空管状体と、
中空管状体の第１の開放端と一体化した剛性の第１の開放端リムおよび中空管状体の第２の開放端と一体化した剛性の第２の開放端リムであって、前記中空管状体により互いに接続された第１と第２の開放端リムと、
前記第１と第２の開放端リムに接続され、管状体を伸張するために前記第１と第２の開放端リムを分離するよう付勢がかかっているヘリカルスプリングと
を含んでなるコンポスト容器。
２．  前記ヘリカルスプリングが中空管状体と一体化されている上記１に記載のコンポスト容器。
３．  前記中空管状体が、中空管状体の向い合った端の間にバンドとして延在するヘリカルポケットを有し、ヘリカルスプリングがヘリカルポケットに配置されている上記２に記載のコンポスト容器。
４．  中空管状体が合成不織布でできている上記１に記載のコンポスト容器。
５．  合成不織布がスパンボンド不織布である上記４に記載のコンポスト容器。
６．  スパンボンド不織布がポリオレフィンを含んでなる上記５に記載のコンポスト容器。
７．  スパンボンド不織布の坪量が１平方メートル当たり１３０グラム未満、引っ張り強度が少なくとも３ＫＮ／ｍである上記６に記載のコンポスト容器。
８．  前記ヘリカルスプリングおよび前記第１と第２の開放剛性リムが金属を含んでなる上記１に記載のコンポスト容器。
９．  前記ヘリカルスプリングおよび前記第１と第２の開放剛性リムがプラスチックを含んでなる上記１に記載のコンポスト容器。
１０．  前記第１と第２の開放剛性リムがほぼ丸く、実質的に同じ直径を有しており、中空管状体が円柱形を有する上記１に記載のコンポスト容器。
１１．  前記第１と第２の開放剛性リムがほぼ丸く、異なる直径を有しており、中空管状体が錐台形を有する上記１に記載のコンポスト容器。
１２．  ヘリカルスプリングが圧縮されて、中空管状体が折り畳まれたときに、第１と第２の剛性リムと係合可能なファスナをさらに含んでなる上記１に記載のコンポスト容器。
１３．  前記ファスナが、前記第１の剛性リムに接続された第１のトグルと、前記第１と第２の剛性リムが互いに係合したときに前記トグルを受けるために前記第２の剛性リムに接続された補助ループとを含んでなる上記１２に記載のコンポスト容器。
１４．  前記中空管状体の第１の開放端をカバーするサイズの蓋をさらに含んでなる上記１に記載のコンポスト容器。
【手続補正書】
【提出日】平成20年5月2日(2008.5.2)
【手続補正１】
【補正対象書類名】特許請求の範囲
【補正対象項目名】全文
【補正方法】変更
【補正の内容】
【特許請求の範囲】
【請求項１】
ａ）ｉ）溶媒混合物の全体積を基準にして、水約０〜約５０体積％、および適切な溶媒約１００〜約５０体積％を含んでなる溶媒混合物、および
ｉｉ）Ｃ５〜Ｃ８アルドン酸、Ｃ５〜Ｃ８アルダル酸、およびＣ５〜Ｃ８アルダロラクトンから選択される１つもしくはそれ以上の化合物を含んでなる出発原料、
を含んでなる反応混合物を提供することと、
ｂ）該反応混合物を加熱して、出発原料中の化合物を脱水環化し、共沸蒸留によって水を除去することと
を含んでなるラクトンまたはジラクトンの製造方法。
【請求項２】
溶媒混合物が水約１〜約５０体積％および適切な溶媒約９９〜５０体積％を含んでなる請求項１に記載の方法。
【請求項３】
溶媒混合物が水およびアセトンのうちの少なくとも１つを含んでなる請求項１に記載の方法。
【請求項４】
反応混合物がグルコン酸、マンノン酸、ガラクトン酸、イドン酸、アロン酸、アルトロン酸、グロン酸、タロン酸、リボン酸、キシロン酸、アラボン酸、リキソン酸、グルカル酸、マンナル酸、ガラクタル酸、イダル酸、アラル酸、アルトラル酸、リバル酸、キシラル酸およびアラビナル酸から選択される１つもしくはそれ以上の酸を含んでなる請求項１に記載の方法。
【請求項５】
アルドン酸、アルダル酸またはアルダロラクトンがその鏡像異性立体配置のＤ、Ｌ、ラセミまたは非ラセミ混合物である請求項１に記載の方法。
【請求項６】
反応混合物が対称面を有し、したがってメソ形でのみ存在するアルダル酸を含んでなる請求項１に記載の方法。
【請求項７】
アルドン酸、アルダル酸またはアルダロラクトンが相当するその第Ｉ族塩、第ＩＩ族塩、またはアンモニウム塩、あるいはその混合物からその場で生成される請求項１に記載の方法。
【請求項８】
塩がナトリウム、カリウム、リチウム、セシウム、マグネシウム、カルシウム、またはアンモニウム塩である請求項７に記載の方法。
【請求項９】
塩がグルカル酸カルシウムである請求項７に記載の方法。
【請求項１０】
アルドン酸、アルダル酸またはアルダロラクトンが硫酸、塩酸、リン酸、フッ化水素酸、シュウ酸、トリフルオロ酢酸、または酸性陽イオン交換樹脂の添加によって、その場で生成される請求項７に記載の方法。
【請求項１１】
ａ）ラクトンまたはジラクトンが溶媒混合物から沈殿するまで、溶媒混合物を２５℃未満に冷却することと、
ｂ）沈殿したラクトンまたはジラクトンを分離することと、
ｃ）場合により、分離したラクトンまたはジラクトンを精製することと
をさらに含んでなる請求項１に記載の方法。
【手続補正書】
【提出日】平成20年2月26日(2008.2.26)
【手続補正１】
【補正対象書類名】明細書
【補正対象項目名】請求項４
【補正方法】変更
【補正の内容】
【請求項４】  スプリングワイヤ（５）の巻き張力が、可変であることを特徴とする請求項１〜３のいずれか１項に記載のフィルター部材。
【手続補正２】
【補正対象書類名】明細書
【補正対象項目名】請求項６
【補正方法】変更
【補正の内容】
【請求項６】  巻き張力は、フィルターヘッド（１ａ）の捻り溝（６）によって調整可能であることを特徴とする請求項５に記載のフィルター部材。
【手続補正３】
【補正対象書類名】明細書
【補正対象項目名】０００８
【補正方法】変更
【補正の内容】
【０００８】
以下に、実施の形態を図面に基づいて詳しく説明する：
（唯一の）図１中には、フィルター部材が示されている。このフィルター部材１は、少なくとも１つの通過開口部２を本体３内に有する。この本体３は、一点鎖線で示された充填ニップル内に挿入される。一般に、多数のこのような通過開口部が設けられていて、特に周囲に沿って分散している。この場合、この流体通過開口部２は、フィルターエレメント４によって覆われている。このフィルターエレメント４は、密に巻かれた１本のスプリングワイヤ（５）から形成される。フィルターエレメントとしてのこのバネは、密に密接している多数の巻線５ａを有する。これらの巻線５ａは、それぞれほぼ放射状に延在している通過ギャップ５ｂと通過ギャップ５ｂとの間に形成される。流体の通過が、ここでは破線で示されている。
【手続補正４】
【補正対象書類名】明細書
【補正対象項目名】００１２
【補正方法】変更
【補正の内容】
【００１２】
高い耐腐食性と耐熱性を実現され得るので、フィルターエレメント４のスプリングワイヤ５は、ここでは好ましくは錆びない、特にオーステナイト系の鋼から製造されている。さらに、この鋼は、高い定形性をもって比較的簡単に巻くことができる。その結果、通過ギャップ５ｂとリングバンド３ｂ上の巻線端部５ｃの支持との均一性が、これによって高い繰返し精度で維持され得る。したがって、このことは、高価なバネ鋼にも言える。
【手続補正書】
【提出日】平成20年5月20日(2008.5.20)
【手続補正１】
【補正対象書類名】明細書
【補正対象項目名】特許請求の範囲
【補正方法】変更
【補正の内容】
【特許請求の範囲】
【請求項１】  手術中にハンドピースを制御するための装置であって：
ハンドピース操作用制御シグナルを提供するため、押し下げ可能となるようピボット状に基部に搭載されたフットペダルと；
ユーザの足によりアクセス可能な位置に前記基部上で前記フットペダルに隣接して配置された少なくとも１つの支持面と；
前記支持面上に配置され、ユーザによる目視観測なしでユーザの足により操作可能な十分な長さを有し、前記長さに沿ったいずれの位置の押し下げによっても操作可能である第１のリボンスイッチとを含んでいる装置。
【請求項２】  ユーザの足によりアクセス可能な位置に前記基部上で前記フットペダルに隣接して配置された第２の支持面と、
前記第２の支持面上に配置され、ユーザによる目視観測なしでユーザの足により操作可能な十分な長さを有し、前記長さに沿ったいずれの位置の押し下げによっても操作可能である第２のリボンスイッチを更に含んでいる、請求項１に記載の装置。
【請求項３】  前記第１及び第２の支持面が、前記フットペダルの相対向する両側に配置された側板を構成している、請求項２に記載の装置。
【請求項４】  前記第１及び第２の支持面が、前記フットペダルの相対向する両側に配置されたフェンスを構成している、請求項２に記載の装置。
【請求項５】  前記リボンスイッチが前記フットペダルと平行に配置されている、請求項２に記載の装置。
【請求項６】  前記フットペダル上を横方向に延びているメンバと、
ユーザによる目視観測なしでユーザの足により操作可能な位置で前記メンバ上に配置され、長さに沿ったいずれの位置の押し下げによっても操作可能である第３のリボンスイッチとを更に含んでいる、請求項５に記載の装置。
【請求項７】  前記第３のリボンスイッチで端末同士がつながり、当該端末同士のつながりが前記フットペダル上に位置する、前記メンバ上に配置された第４のリボンスイッチを更に含んでいる、請求項６に記載の装置。
【請求項８】  前記第３のリボンスイッチが、前記フットペダルの幅と少なくとも同じ長さを有する、請求項６に記載の装置。
【請求項９】  第３及び第４のリボンスイッチの合計の長さが、前記フットペダルの幅と少なくとも同じである、請求項７に記載の装置。
【請求項１０】  前記フットペダルがユーザのつま先または足裏により押し下げることができるよう前記基部上に配置され、前記第１及び第２のリボンスイッチがユーザのつま先または足裏のいずれにもアクセス可能である十分な長さを有する、請求項８に記載の装置。
【手続補正２】
【補正対象書類名】明細書
【補正対象項目名】００２６
【補正方法】変更
【補正の内容】
【００２６】
側板２０、２２の形態をした支持面は、ユーザの足（図示せず）によりアクセスできる相対向する両側２６、３０にフットペダル１２に隣接して設けられて配置され得る。第１及び第２の足操作リボンスイッチ３４、３６は、接着などの従来の方法で面２０、２２に配置され、ユーザ（図示せず）による目視観測なしでユーザの足（図示せず）によりリボンスイッチ３４、３６が操作可能となる面２０、２２に沿って延びる十分な長さを有する。
【手続補正３】
【補正対象書類名】明細書
【補正対象項目名】００３２
【補正方法】変更
【補正の内容】
【００３２】
追加のリボンスイッチ６０、６２がフットペダル上を横方向に延びているメンバ６４に配置されてもよい。好ましくはスイッチ６０、６２は両端末６８と６６がつながって配置され、この端末６８と６６同士のつながりはフットペダル上の中央に位置している。この方法により、フットペダル１２の上で越えたスイッチ６０、６２の右手と左手の関係が確立される。スイッチ６０と６２は、上述のスイッチ３４、３６、５０、５２と類似又は同一である。
【手続補正書】
【提出日】平成20年6月13日(2008.6.13)
【手続補正１】
【補正対象書類名】明細書
【補正対象項目名】特許請求の範囲
【補正方法】変更
【補正の内容】
【特許請求の範囲】
【請求項１】  美容的処置、特に人間の身体の少なくとも一部をケアし、メーキャップし、または彩色するための方法であって、
処置すべき前記人間の身体部分の少なくとも一つの画像を撮るステップと、
この画像から前記部分の局部的特徴を分析するステップと、
前記局部的特徴に従って、前記部分を覆う適切な処置製品を機械によって塗布するステップとを具備し、
前記機械は、前記局部的特徴の分析に基づいて発生された少なくとも一つの信号により制御される方法。
【請求項２】  請求項１に記載の方法であって、所望の視覚的特徴を認識するステップと、前記所望の特徴に従って前記メーキャップすべき前記部分を覆うメーキャップ製品を塗布するステップとを具備する方法。
【請求項３】  請求項１または２に記載の方法であって、製品を塗布する前に、画面上でメーキャップ操作または彩色をシミュレートするステップを具備する方法。    
【請求項４】  請求項１〜３の何れか１項に記載の方法を実施するための装置であって、前記部分を位置決めする手段と、画像を撮る手段と、前記部分の局部的特徴を得るために画像を分析する手段と、前記局部的特徴に従って、前記部分を覆ってメーキャップ製品を塗布する手段とを具備する装置。
【請求項５】  請求項４に記載の装置であって、前記塗布手段は、前記部分の起伏に追随できるために関節式アームによって支持される装置。
【請求項６】  請求項４または５に記載の装置であって、前記と不手段は、処置製品を噴霧で切る少なくとも一つのノズルを具備し、前記ヘッドは圧電式、空気圧式、電子スプレー式、熱スプレー式またはエアロゾル式のものである装置。
【手続補正２】
【補正対象書類名】明細書
【補正対象項目名】０１１１
【補正方法】変更
【補正の内容】
【０１１１】
一実施例において、カメラ1、画面5およびキーボード6を設けたコンピュータ、並びにアプリケータ7は、例えばユーザの家または美容パーラーに位置する取得および塗布ゾーンに配置される。コンピュータおよびデータベースは、例えばデザイナーの家またはシステムオペレータの家に位置する遠隔ゾーンに配置される。このコンピュータおよびデータベースは、好ましくは高いデータ速度をもったコンピュータリンクによって接続される一方、相互に或る距離で位置することができる。コンピュータおよびコンピュータは、インターネット型の通信ネットワーク、好ましくは迅速インターネット接続、例えばADSLによって接続される。コンピュータは高い計算能力を有し、それによってユーザに利益を与えるのに対して、コンピュータは安価な大量生産されるタイプのコンピュータであろう。
【手続補正３】
【補正対象書類名】明細書
【補正対象項目名】０１１２
【補正方法】変更
【補正の内容】
【０１１２】
更に、製品を処方するためのユニットは、例えば実験室に設けられ、好ましくは高いデータ速度をもったコンピュータリンクによってデータベースに接続される一方、相互に或る距離で位置することができる。
【手続補正４】
【補正対象書類名】明細書
【補正対象項目名】０１１３
【補正方法】変更
【補正の内容】
【０１１３】
一つの方向においては、取得および塗布ゾーンにおいてカメラによって必要とされるデータが、最初のデータ処理を実行してもしなくてもよいコンピュータを介して、コンピュータに送られるであろう。このデータは、現在の依頼人または潜在的な依頼人の全ての類型を一緒にしたデータベースを供給するように働く。次に、このデータベースに含まれるデータは、依頼人の必要性に合致するように開発するのに適した製品の特徴を決定するために、化粧品処方によって使用することができる。
【手続補正５】
【補正対象書類名】明細書
【補正対象項目名】０１１４
【補正方法】変更
【補正の内容】
【０１１４】
他の方向においては、アプリケータ7を目的とした情報を含む信号が運ばれる。更に詳細に言えば、コンピュータは、ユーザの特徴から計算された一以上の画像の塗布メッセージおよび／またはデータを発生するために、データを処理する。コンピュータが塗布メッセージを受信したら、前記メッセージが圧縮データを含んでいれば、例えば圧縮解除によってそれを処理し、制御信号をアプリケータ7に送る。前記制御信号の送信は、ユーザによる確認を受けてもよい。
【手続補正６】
【補正対象書類名】明細書
【補正対象項目名】０１１５
【補正方法】変更
【補正の内容】
【０１１５】
コンピュータが画像データを受取ったら、それは前記画像を画面5に表示する。コンピュータは、次いでユーザによる確認を要求する。前記確認の後、コンピュータは塗布メッセージの要求をコンピュータに送る。
【手続補正７】
【補正対象書類名】明細書
【補正対象項目名】０１１６
【補正方法】変更
【補正の内容】
【０１１６】
一実施態様においては、カメラ1、およびコンピュータは、例えばユーザの家に位置する取得ゾーンに配置される。アプリケータ7は、例えば美容パーラーに位置する塗布ゾーンに配置される。アプリケータ7は、コンピュータとコンピュータの間に設けられたのと同じ種類のリンクによって、コンピュータに接続される。
【手続補正８】
【補正対象書類名】明細書
【補正対象項目名】０１１７
【補正方法】変更
【補正の内容】
【０１１７】
換言すれば、取得ゾーンおよび塗布ゾーンは異なっており、離れていてもよい。ユーザに特異的な特徴、またはユーザに選択されてデータベースに保存された特徴を認識するために、個人コードが与えられてもよい。この個人コードは、取得ゾーンのコンピュータによってユーザに指示されてもよく、また塗布ゾーンにおけるコンピュータによって彼から要求されるであろう。個人コードは、ユーザのデータを同定し且つ前記データの秘密を保護する二重の機能を有していてもよい。
【手続補正９】
【補正対象書類名】明細書
【補正対象項目名】図面の簡単な説明
【補正方法】変更
【補正の内容】
【図面の簡単な説明】
【図１】
図１は、本発明の一実施例に従う装置を示す概略図である。
【図２】
図２は、図１の詳細図である。
【図３】
図３は、本発明のもう一つの実施例に従う概略図である。
【図４】
図４は、本発明の装置における画像取得ステップを示す図である。
【手続補正書】
【提出日】平成20年3月14日(2008.3.14)
【手続補正１】
【補正対象書類名】明細書
【補正対象項目名】特許請求の範囲
【補正方法】変更
【補正の内容】
【特許請求の範囲】
【請求項１】  不足成分流および過剰成分流を含む反応体流を混合する方法であって、
過剰成分流を少なくとも２種類の反応体副流に分割する工程と、
過剰成分の反応体副流および不足成分を環状混合空間において混合しながら、反応体副流を不足成分の吸引領域に非平行に注入する工程と、
を含むことを特徴とする混合方法。
【請求項２】  過剰成分の少なくとも１種類の反応体副流を内側から環状混合空間に注入し、過剰成分の少なくとも１種類の反応体副流を外側から環状混合空間に注入することを特徴とする請求項１に記載の方法。
【請求項３】  反応体副流の分割比が０．０１から１００：１の間であることを特徴とする請求項１の方法。
【請求項４】  反応体副流を、不足成分の自由噴流に対して１°〜１７９°の角度範囲で環状混合空間に供給することを特徴とする請求項１に記載の方法。
【請求項５】  角度が９０°である請求項４に記載の方法。
【請求項６】  少なくとも２種類の反応体副流（１、２）を不足成分（５）である他の反応体流と混合して生成物流（１０）を生成する装置であって、
混合装置が多数の反応体供給点を有し、
反応体を、環状ギャップとして構成された混合空間（１２）に導入し、該混合空間（１２）の端面には他の反応体流の入力点（８）が配置され、
混合空間（１２）が少なくとも２カ所の他の供給点を有し、それによって少なくとも２種類の反応体副流（１、２）を他の反応体流に対して非平行に注入できることを特徴とする混合装置。
【請求項７】  環状ギャップとして構成された混合空間（１２）を、内側シリンダの外側面（６）と、内側シリンダと共通の対称線（１１）を有する外側シリンダの内側面（７）とによって制限し、これらの面（６、７）がシリンダ状であるか、または断面が円錐、凹状または凸状であることを特徴とする請求項６に記載の装置。
【請求項８】  環状ギャップとして構成された混合空間（１２）が面（６、７）同士の間にギャップ幅（１３）を有し、この混合空間（１２）の長さ（１４）がギャップ幅（１３）の半分〜２００倍であることを特徴とする請求項７に記載の装置。
【請求項９】  混合空間（１２）の長さ（１４）がギャップ幅（１３）の３〜１０倍の範囲であることを特徴とする請求項８に記載の混合装置。
【手続補正書】
【提出日】平成20年7月2日(2008.7.2)
【手続補正１】
【補正対象書類名】明細書
【補正対象項目名】特許請求の範囲
【補正方法】変更
【補正の内容】
【特許請求の範囲】
【請求項１】  シリンジから患者に流体を注入する医療用インジェクターシステムであって、シリンジはバレル及び摺動可能にバレルに係合するハブを具え、ハブはプランジャーが取り外し可能に係合する様に形成された係合部を有する内面を具えるインジェクターシステムに於いて、
(ｉ)  ハブを動かし、ハブの係合部に取り外し可能に係合する様に形成された保持部材を具えるプランジャーと、
(ii)  シリンジバレルを受ける様に形成されたホルダー部材と、ホルダー部材内のシリンジを取り外し可能にロックする回動可能なキャッチを有するシリンジホルダーを具えた医療用インジェクターシステム。
【請求項２】  更にホルダー部材上に配備されて、シリンジの一端部をホルダー部材上の所定の位置に位置づける位置決め装置を具えた請求項１の医療用インジェクターシステム。
【請求項３】  シリンジホルダーは医療用インジェクターと取り外しが簡単に係合することを可能にする係合部を更に具えている請求項１の医療用インジェクターシステム。
【請求項４】  シリンジホルダーの係合部は、ロック部材を具える請求項３の医療用インジェクターシステム。
【請求項５】  シリンジホルダーのロック部材は、スロットを具える請求項３の医療用インジェクターシステム。
【請求項６】  シリンジホルダーのロック部材は、ピンを具える請求項３の医療用インジェクターシステム。
【請求項７】  更に、
(ｉ)  シリンジに接続される様に形成され、流体をシリンジ内又はシリンジ外に導くチューブと、
(ii)  チューブを医療用流体を含む容器に接続し、それによって容器からシリンジへ流体を引き出すことを可能にするコネクタを具え、
コネクタは、中空スパイクを具え、スパイクによって栓を刺すことにより、容器内の栓を通って孔を形成する請求項１の医療用インジェクターシステム。
【請求項８】  コネクタは更に、
(ｉ)  ロック鍔を有する雄ルアー部と、
(ii)  該雄ルアー部からスパイクが永久に係合解除することを可能にする係合解除部を具えた請求項７の医療用インジェクターシステム。
【請求項９】  係合解除部は壊れやすいネックを具えている請求項８の医療用インジェクターシステム。
【請求項１０】  スパイクは、容器からスパイクが取り外されることを規制する逆棘部を具える請求項７の医療用インジェクターシステム。
【請求項１１】  更にチューブとシリンジの雄ルアーコネクタとの間にクランプを具え、該クランプは雄ルアーコネクタのロックネジ内に移動可能であり、それによってチューブを雄ルアーコネクタにクランプする請求項１の医療用インジェクターシステム。
【請求項１２】  クランプは掴み部を具え、該掴み部とチューブとの間のグリップを強くする請求項１１の医療用インジェクターシステム。
【請求項１３】  クランプは掴み部を具え、該掴み部とコネクタとの間のグリップを強くする請求項１１の医療用インジェクターシステム。
【請求項１４】  クランプは掴み部を具え、該掴み部とチューブとコネクタ間のグリップを強くする請求項１１の医療用インジェクターシステム。
【請求項１５】  掴み部は逆棘がある請求項１２の医療用インジェクターシステム。
【請求項１６】  掴み部は隆条を具えている請求項１２の医療用インジェクターシステム。
【請求項１７】  掴み部はネジ山を具えている請求項１２の医療用インジェクターシステム。
【請求項１８】前記クランプは、不正開封防止機能付きである請求項１１に記載の医療用インジェクターシステム。
【請求項１９】ベース部材及びセンサを具えており、前記ベース部材に対する前記シリンジホルダーの向きを検出する請求項１に記載の医療用インジェクターシステム。
【請求項２０】前記センサは、前記シリンジホルダーとベース部材間の角度を検出する請求項１９に記載の医療用インジェクターシステム。
【請求項２１】その向きによって、自動的にバレル内のプランジャーの移動を開始させ又は停止させるスイッチを具えている請求項１に記載の医療用インジェクターシステム。
【請求項２２】前記スイッチは、錘機構により駆動される請求項２１に記載の医療用インジェクターシステム。
【請求項２３】さらに、コントローラを具えており、プランジャーの移動を制御する請求項１に記載の医療用インジェクターシステム。
【請求項２４】ベース部材及びセンサを具えており、前記ベース部材に対する前記シリンジホルダーの向きを検出する請求項２３に記載の医療用インジェクターシステム。
【請求項２５】前記センサは、前記シリンジホルダーとベース部材間の角度を検出する請求項２４に記載の医療用インジェクターシステム。
【請求項２６】前記コントローラは、前記プランジャーを動かして、チューブを介して前記シリンジに繋がれた血管内のカテーテルの通孔度を検査する請求項２３に記載の医療用インジェクターシステム。
【請求項２７】前記プランジャーと前記ハブ間の結合レベルを検出するセンサを具える請求項１に記載の医療用インジェクターシステム。
【請求項２８】前記センサは、前記プランジャーと前記ハブ間の完全な結合を検出する請求項２７に記載の医療用インジェクターシステム。
【請求項２９】光センサを具える請求項２７に記載の医療用インジェクターシステム。
【請求項３０】前記光センサは、光ファイバーケーブルを具える請求項２７に記載の医療用インジェクターシステム。
【請求項３１】機械的センサを具える請求項２７に記載の医療用インジェクターシステム。
【請求項３２】電磁気的センサを具える請求項２７に記載の医療用インジェクターシステム。
【請求項３３】前記プランジャーと前記ハブ間の結合レベルを検出するセンサを具える請求項２３に記載の医療用インジェクターシステム。
【請求項３４】前記センサは前記コントローラと通信して、さらに、前記プランジャーの移動が制御される請求項３３に記載の医療用インジェクターシステム。
【請求項３５】前記通信は、前記ハブを動かさずに、前記プランジャーと前記ハブの結合を行える請求項３４に記載の医療用インジェクターシステム。
【請求項３６】前記通信は、前記プランジャーへの前記ハブのロックを解除できる請求項３４に記載の医療用インジェクターシステム。
【請求項３７】前記通信は、前記プランジャーへの前記ハブのロックの解除を惹き起こす請求項３４に記載の医療用インジェクターシステム。
【請求項３８】前記通信は、使用済みのシリンジの検出ができる請求項３４に記載の医療用インジェクターシステム。
【請求項３９】前記センサが、前記ハブが最も引き込まれた状態のときの位置よりも前方で、前記ハブを検出する場合、信号が生成される請求項３８に記載の医療用インジェクターシステム。
【請求項４０】前記通信はエラー検出を行える請求項３４に記載の医療用インジェクターシステム。
【請求項４１】前記ハブ及びプランジャーが早めに開放する場合、信号が生成される請求項４０に記載の医療用インジェクターシステム。